(57)【特許請求の範囲】
【請求項１】
家屋の電気負荷に接続される蓄電池と、
前記電気負荷と前記蓄電池との間に介在する遮断手段と、
前記家屋の火災を検知する火災検知手段と、
前記家屋に火災が発生した際に外部に火災発生を表示する動作を行う表示手段と、
前記火災検知手段により火災が検知された際に前記遮断手段により前記蓄電池から前記電気負荷への電力の供給を遮断すると共に前記蓄電池の電力により前記表示手段を動作させる制御手段とを備えた
ことを特徴とする家屋の電源装置。
【請求項２】
請求項１に記載の家屋の電源装置において、
前記蓄電池は、電気動力の車両に電力を供給する蓄電池である
ことを特徴とする家屋の電源装置。
【請求項３】
請求項２に記載の家屋の電源装置において、
前記蓄電池は、前記車両に搭載された蓄電池である
ことを特徴とする家屋の電源装置。
【請求項４】
請求項２もしくは請求項３に記載の家屋の電源装置において、
前記表示手段は前記車両のランプである
ことを特徴とする家屋の電源装置。
【請求項５】
請求項２から請求項４のいずれか一項に記載の家屋の電源装置において、
前記表示手段は前記車両の警音器である
ことを特徴とする家屋の電源装置。
【請求項６】
請求項１から請求項５のいずれか一項に記載の家屋の電源装置において、
前記蓄電池は、前記家屋の給電経路からの深夜電力、及び/または、家屋用発電手段から得られる電力を蓄える蓄電池である
ことを特徴とする家屋の電源装置。
【発明の詳細な説明】
【技術分野】
【０００１】
本発明は、家屋の電源装置に関し、電力会社から供給される商用電力と蓄電池からの電力を併用する電源装置に適用される。
【背景技術】
【０００２】
住宅等の家屋には、電力会社からの商用電力が供給され、商用電力により家屋内の電気負荷（家電装置、照明装置等）の電力が賄われている。近年、太陽光発電や燃料電池等の家庭用の発電設備が実用化され、電力会社から供給される商用電力と家庭用の発電設備等からの電力を併用する電源装置が種々提案されている（例えば、特許文献１参照）。
【０００３】
従来から提案されている電力会社から供給される商用電力と家庭用の発電設備からの電力を併用する電源装置では、家庭用の発電設備からの電力や商用電力の深夜電力等を蓄電池に蓄え、例えば、商用電力の停電時のバックアップや昼間の電力源としてブレーカを介して蓄電池から電力を供給するようにしている。
【０００４】
上述した設備を備えた住宅等の家屋では、火災発生時等、電気配線に影響を及ぼす災害が発生した場合、配線損傷による短絡等の２次被害が想定されるため、速やかに電力の供給を遮断することが望ましい。しかし、蓄電池から電力が供給されている場合、蓄電池からの電力に過電流が生じた際にブレーカが遮断されて電力の供給が遮断されるものの、火災発生時等では電力は供給され続けてしまうのが現状である。
【先行技術文献】
【特許文献】
【０００５】
【特許文献１】特開２００９−２７８７７６号公報
【発明の概要】
【発明が解決しようとする課題】
【０００６】
本発明は上記状況に鑑みてなされたもので、火災発生時に蓄電池からの電力の供給を速やかに遮断して火災の発生を確実に外部に表示することができる家屋の電源装置を提供することを目的とする。
【課題を解決するための手段】
【０００７】
上記目的を達成するための請求項１に係る本発明の家屋の電源装置は、家屋の電気負荷に接続される蓄電池と、前記電気負荷と前記蓄電池との間に介在する遮断手段と、前記家屋の火災を検知する火災検知手段と、前記家屋に火災が発生した際に外部に火災発生を表示する動作を行う表示手段と、前記火災検知手段により火災が検知された際に前記遮断手段により前記蓄電池から前記電気負荷への電力の供給を遮断すると共に前記蓄電池の電力により前記表示手段を動作させる制御手段とを備えたことを特徴とする。
【０００８】
請求項１に係る本発明では、火災検知手段により火災が検知された場合、遮断手段により蓄電池から電気負荷への電力の供給を遮断し、同時に蓄電池の電力により表示手段を動作させる。これにより、蓄電池により電力が供給されている際に火災検知手が作動すると、蓄電池からの電力の供給を速やかに停止させ、配線損傷による短絡等の２次被害を防止して火災の発生を確実に外部に表示することができる。
【０００９】
そして、請求項２に係る本発明の家屋の電源装置は、請求項１に記載の家屋の電源装置において、前記蓄電池は、電気動力の車両に電力を供給する蓄電池であることを特徴とする。
【００１０】
請求項２に係る本発明では、電気動力の車両に電力を供給する蓄電池を家屋の電気負荷に接続して電力を供給することができる。
【００１１】
また、請求項３に係る本発明の家屋の電源装置は、請求項２に記載の家屋の電源装置において、前記蓄電池は、前記車両に搭載された蓄電池であることを特徴とする。
【００１２】
請求項３に係る本発明では、車両に搭載された蓄電池を家屋の電気負荷に接続して電力を供給することができる。
【００１３】
また、請求項４に係る本発明の家屋の電源装置は、請求項２もしくは請求項３に記載の家屋の電源装置において、前記表示手段は前記車両のランプであることを特徴とする。
【００１４】
請求項４に係る本発明では、車両のハザードランプやヘッドランプ等を用いて火災の発生を表示することができる。
【００１５】
また、請求項５に係る本発明の家屋の電源装置は、請求項２から請求項４のいずれか一項に記載の家屋の電源装置において、前記表示手段は前記車両の警音器であることを特徴とする。
【００１６】
請求項５に係る本発明では、車両の警音器を発音させることで火災の発生を表示することができる。
【００１７】
また、請求項６に係る本発明の家屋の電源装置は、請求項１から請求項５のいずれか一項に記載の家屋の電源装置において、前記蓄電池は、前記家屋の給電経路からの深夜電力、及び/または、家屋用発電手段から得られる電力を蓄える蓄電池であることを特徴とする。
【００１８】
請求項６に係る本発明では、家屋の給電経路からの深夜電力、及び/または、家屋用発電手段から得られる電力が蓄えられた蓄電池から電気負荷に電力を供給することができる。
【発明の効果】
【００１９】
本発明の家屋の電源装置は、火災発生時に蓄電池からの電力の供給を速やかに遮断して火災の発生を確実に外部に表示することが可能になる。
【図面の簡単な説明】
【００２０】
【図１】本発明の一実施例に係る家屋の電源装置の全体構成図である。
【図２】本発明の他の実施例に係る家屋の電源装置の要部構成図である。
【発明を実施するための形態】
【００２１】
図１に基づいて本発明の家屋の電源装置を説明する。図１には本発明の一実施例に係る家屋の電源装置の全体システムを説明するための概略状況を示してある。
【００２２】
図に示すように、家屋１には電力会社からの商用電力（電力）が電線２を介して受電部３に供給され、受電部３に供給された電力は分電部４から電気負荷（家電装置や照明装置等）５に供給される。一方、家屋１には戸別電源装置６が備えられ、戸別電源装置６から電気負荷５に電力の供給が可能になっている。
【００２３】
戸別電源装置６には蓄電池１１が備えられ、蓄電池１１は分電部４から電力が供給されて充電される。分電部４からの電力は電力会社から供給される電力であり、蓄電池１１には料金が安い、例えば、深夜電力が供給されて充電される。また、家屋１には家屋用発電手段としての太陽光発電装置１２が備えられ、太陽光発電装置１２で得られた電力が蓄電池１１に供給されて充電される。
【００２４】
家屋用発電手段としては、太陽光以外の自然エネルギーにより発電を行う設備や、家庭用燃料電池、家庭用マイクロタービン等の発電設備が適用される。
【００２５】
戸別電源装置６には遮断手段としてのブレーカ１３が備えられ、蓄電池１１に充電された電力はブレーカ１３を介して電気負荷５に供給される。例えば、料金の安い深夜電力や太陽光発電装置１２で得られた電力が充電された状態で、昼間の電気負荷５の電力が蓄電池１１から供給され、実質的に深夜電力の料金以下のコストで昼間の電力を賄うことができる。
【００２６】
一方、戸別電源装置６には電気動力の車両１４が接続可能とされ、車両１４に対して蓄電池１１の電力が充電可能になっている。車両１４は、電動モータにより駆動力を得る電気自動車であり、駐車時に蓄電池１１の電力が車載蓄電池１５に供給されて車載蓄電池１５が充電される。車両としては、動力源としてエンジンと電動モータとを有するハイブリッド車両を用いることも可能である。
【００２７】
尚、蓄電池１１の電力により車両１４の車載蓄電池１５の充電を行う例を挙げて説明したが、車両１４を接続した際に太陽光発電装置１２で得られた電力及び分電部４からの電力により車載蓄電池１５の充電を行うことも可能である。そして、蓄電池１１とは並列に、もしくは、蓄電池１１の電力と合わせて電気負荷５に供給する構成にすることも可能である。
【００２８】
家屋１には火災検知器としての火災報知器２１が設置され、火災報知器２１には温度検出手段２２が備えられている。戸別電源装置６には制御手段２３が備えられ、火災報知器２１の検知情報及び火災が検知された際に温度検出手段２２で検出される温度情報が制御手段２３に送られる。また、家屋１には表示手段としての警報ランプ２４が備えられ、警報ランプ２４は戸別電源装置６の蓄電池１１の電力により動作する。
【００２９】
火災の情報が制御手段２３に入力されると、制御手段２３はブレーカ１３を遮断して蓄電池１１から電気負荷５への電力の供給を遮断し、同時に、蓄電池１１の電力により警報ランプ２４を動作させる。また、火災発生時に戸別電源装置６に車両１４が接続されていた場合、制御手段２３は車両１４のハザードランプ２６を点滅させる。更に、ヘッドランプ２７を点滅させ、警音機器（クラクション）を作動させて車両１４から警報音を発生させる。
【００３０】
火災発生時に車両１４が接続されてハザードランプ２６を点滅させた場合、ヘッドランプ２７を点滅させた場合、警音機器（クラクション）を作動させて車両１４から警報音を発生させた場合、動作後に、蓄電池１１と車両１４の接続を強制的に遮断させることが好適である。火災発生時に蓄電池１１と車両１４の接続を強制的に遮断させることで、接続配線の破損が防止され、火災による車両１４に対する悪影響をなくすことができる。
【００３１】
上記構成の家屋の電源装置では、電力会社から供給される電力のうち、低料金の深夜電力等が蓄電池１１に充電される。また、太陽光発電装置１２で発電された電力が蓄電池１１に充電される。蓄電池１１に充電された電力は、家屋１の電気負荷５の昼間の電力源として供給されたり、家屋１が停電した際のバックアップの電力として供給される。また、車両１４が接続されると、蓄電池１１の電力が車載蓄電池１５に充電され、車両１４の動力エネルギーが蓄えられる。
【００３２】
蓄電池１１から電気負荷５に電力が供給されている状態で、火災報知器２１により火災の発生が検知された場合、火災報知器２１の火災検知情報が制御手段２３に送られる。火災発生の情報が火災報知器２１から制御手段２３に送られると、ブレーカ１３が遮断されて蓄電池１１から電気負荷５への電力の供給が遮断される。同時に、蓄電池１１の電力により警報ランプ２４が点灯され、外部に火災の発生が知らされる（表示される）。
【００３３】
また、火災発生時に戸別電源装置６に車両１４が接続されていた場合、制御手段２３は車両１４のハザードランプ２６を点滅させ、更に、ヘッドランプ２７を点滅させる。火災の状況により、制御手段２３により警音機器（クラクション）を作動させて車両１４から音により火災の発生を表示する。
【００３４】
警報ランプ２４の点灯、ハザードランプ２６の点滅、ヘッドランプ２７の点滅、クラクションの作動は、全てを同時に実施することが可能である。また、温度検出手段２２からの温度情報により火災の状態をレベル分けし、火災のレベルに応じて警報の種類を使い分けることができる。
【００３５】
上述した家屋の電源装置は、火災報知器２１により火災発生が検知された場合、ブレーカ１３を遮断して蓄電池１１から電気負荷５への電力の供給を遮断する。このため、蓄電池１１により電力が供給されている際に火災が発生した際、蓄電池１１からの電力の供給を速やかに停止し、配線損傷による短絡等の２次被害を防止することができる。
【００３６】
同時に、火災報知器２１により火災発生が検知された場合、蓄電池１１の電力により警報ランプ２４を点灯させ、車両１４のハザードランプ２６、ヘッドランプ２７を点滅させ、クラクションを作動させるので、火災の発生を確実に外部に表示することができる。
【００３７】
従って、火災発生時に蓄電池１１からの電力の供給を速やかに遮断して安全性を確保し、火災の発生を確実に外部に表示することが可能になる。
【００３８】
図２に基づいて家屋の電源装置の他の実施例を説明する。図２には本発明の他の実施例に係る家屋の電源装置の戸別電源装置の概略構成を示してある。尚、図１に示した構成部材と同一部材には同一符号を付して重複する説明は省略してある。
【００３９】
図２に示すように、戸別電源装置３１にはブレーカ１３及び制御手段２３が備えられ、制御手段２３には火災報知器２１の情報が入力される。戸別電源装置３１には車両１４が接続可能とされ、車両１４が接続された際にブレーカ１３を介して車載蓄電池１５の電力が電気負荷５に供給される。そして、図示しない分電機能により、車載蓄電池１５の電力が戸別電源装置３１を介して警報ランプ２４に送られる。
【００４０】
また、戸別電源装置３１には図示しない受電部が備えられ、太陽光発電装置１２及び分電部４からの電力が供給される。供給された電力は、車両１４が接続された際に車載蓄電池１５に充電される。図２に示した実施例は、車両１４が接続された際に車載蓄電池１５が戸別電源装置３１の蓄電池を兼用する構成となっている。このため、戸別電源装置３１に蓄電池を備えることなく、電気負荷５に電力を供給することができる。
【００４１】
従って、火災発生の情報が火災報知器２１から制御手段２３に送られると、ブレーカ１３が遮断されて車載蓄電池１５から電気負荷５への電力の供給が遮断され、配線損傷による短絡等の２次被害を防止することができる。同時に、車載蓄電池１５の電力により警報ランプ２４が点灯され、外部に火災の発生が知らされ、車両１４のハザードランプ２６、ヘッドランプ２７が点滅され、クラクションが作動され、火災の発生を確実に外部に表示することができる。
【産業上の利用可能性】
【００４２】
本発明は、電力会社から供給される商用電力と蓄電池からの電力を併用する電源装置の産業分野で利用することができる。
【符号の説明】
【００４３】
１  家屋
２  電線
３  受電部
４  分電部
５  電気負荷
６、３１  戸別電源装置
１１  蓄電池
１２  太陽光発電装置
１３  ブレーカ
１４  車両
１５  車載蓄電池
２１  火災報知器
２２  温度検出手段
２３  制御装置
２４  警報ランプ
２６  ハザードランプ
２７  ヘッドランプ
【図１】
0005364648.tif 000002
【図２】
0005364648.tif 000003